(57)【要約】【課題】Ｘ線透視撮影装置用モニタ懸垂器はモニタの上下動を容易にするために、モニタの総重量とほぼ同重量のバランスウエイトでバランスさせるため、天井やレールにかかる重量的な負担がほぼ２倍になるだけでなく、水平移動や回転の操作により大きな力が必要になる。またモニタ懸垂器が大きくなるため室内の作業スペースが減少する。【解決手段】モニタ１を保持する保持枠２を移動操作ハンドル６により容易に上下動可能にするために、保持枠２はリニアウエイ１２を介して懸垂部３に上下動可能に保持され、かつ両側面に取り付けられた無段階ロック機構の付いたガススプリング１３により上下方向の適当な位置に保持されている。ガススプリング１３の一方の端部が懸垂部３の側面に、他方の端部が保持枠２の側面にいずれも回転可能に保持されているのでガススプリング１３を伸縮させることにより保持枠２は懸垂部３に沿って上下方向に移動することができる。【選択図】          図１
2008119264.tif 000002
【特許請求の範囲】
【請求項１】
Ｘ線画像を観察するためのモニタを保持するモニタ保持枠を天井から懸垂した懸垂部により支持するＸ線透視撮影装置において、前記懸垂部に対してモニタ保持枠を上方に付勢するとともに下方変位をも可能に支持する伸縮可能な支持機構と、前記モニタ保持枠の移動をロックするロック手段を設けたことを特徴とするＸ線透視撮影装置。
【請求項２】
ロック手段はガススプリングで構成されることを特徴とする請求項１記載のＸ線透視撮影装置。
【請求項３】
ガススプリングのロックを解除するためのロック解除操作手段を設けたことを特徴とする請求項２記載のＸ線透視撮影装置。
【発明の詳細な説明】
【技術分野】
【０００１】
本発明はＸ線透視撮影装置に関する。
【背景技術】
【０００２】
Ｘ線透視撮影装置において透視画像や撮影画像を検査室内で観察するためのモニタは、特に血管造影撮影等の場合、室内の床面の有効利用のために天井から懸垂されることが多い（例えば特許文献１参照）。そして最近はデジタル画像処理の普及により多数枚の画像を同時に表示するケースが増加し、例えば図５に示すように４台のモニタ１を２列に配置して保持するモニタ懸垂器等が使用されるようになってきている。このようなモニタ懸垂器の構成例について図５を用いて説明する。
【０００３】
図５（ａ）は８台のモニタ１を搭載可能なモニタ懸垂器の外観を示す図であり、図５（ｂ）は図５（ａ）を矢印Ａ方向から見た側面図である。８台のモニタ１を保持する保持枠２を移動操作ハンドル６により容易に上下動可能にするために、保持枠２は懸垂部３内の上部に取り付けられた定滑車８に掛着されたワイヤ１０の一方の端に固着され、他方の端には８台のモニタ１の重量を含む保持枠２の重量とほぼ同じ重量のバランスウエイト９が固着されており、両者はそれぞれ懸垂部３の前面および後面に沿って上下動可能に保持されている。
【０００４】
そして懸垂部３は回転軸４により回転可能にベース部５に保持され、ベース部５は天井のレール（図示しない）に沿って水平方向に移動可能なキャリッジ（図示しない）に取り付けられている。このような構成により操作者（図示しない）は移動操作ハンドル６により８台のモニタ１群を観察しやすい任意の高さ、任意の位置および任意の向きに静止させることができる。なお通常キャリッジによる水平動および回転軸４による回転にはロック機構が設けられているので、それらの動作は３個の水平動ロック解除スイッチ７のいずれかが押されている間のみ可能なように構成されている。
【特許文献１】特開２００４−８１５６９号公報
【発明の開示】
【発明が解決しようとする課題】
【０００５】
Ｘ線透視撮影装置用モニタ懸垂器は通常上記のように構成されているが、モニタの上下動を容易にするためにモニタの総重量とほぼ同重量のバランスウエイトでバランスさせるため、天井やレールにかかる重量的な負担がほぼ２倍になるだけでなく、水平移動や回転の操作にもより大きな力が必要になる。またモニタ懸垂器が大きくなるため室内の作業スペースが減少する。本発明はこれらの課題を解決するためのものである。
【課題を解決するための手段】
【０００６】
請求項１記載の発明は上記の目的を達成するために、Ｘ線画像を観察するためのモニタを保持するモニタ保持枠を天井から懸垂した懸垂部により支持するＸ線透視撮影装置において、前記懸垂部に対してモニタ保持枠を上方に付勢するとともに下方変位をも可能に支持する伸縮可能な支持機構と、前記モニタ保持枠の移動をロックするロック手段を設けたＸ線透視撮影装置を提供する。
【０００７】
請求項２記載の発明は上記の目的を達成するために、ロック手段はガススプリングで構成される請求項１記載のＸ線透視撮影装置を提供する。
【０００８】
請求項３記載の発明は上記の目的を達成するために、ガススプリングのロックを解除するためのロック解除操作手段を設けた請求項２記載のＸ線透視撮影装置を提供する。
【発明の効果】
【０００９】
本発明によりモニタの重量をバランスウエイトの代わりにガススプリングによってバランスさせることにより、バランスウエイトを用いたときと同程度の小さい力で上下動を行うことができるうえに、モニタ懸垂器の軽量化がはかれるので、天井やレールにかかる重量的な負担を軽減することでき、さらに水平移動や回転の操作を従来より小さい力で行うことができる。またモニタ懸垂器が小型化されるので、検査室内の利用できる空間を増やすことができる。
【発明を実施するための最良の形態】
【００１０】
本発明の実施例について図１〜図３を用いて説明する。ただし図５と同じ符号で示される部品等は図５と同じものなのでそれらについての説明は省略する。図１（ａ）は本発明によるモニタ懸垂器の外観を示す図であり、図１（ｂ）は図１（ａ）を矢印Ｂ方向から見た側面図である。８台のモニタ１群を保持する保持枠２を移動操作ハンドル６により容易に上下動可能にするために、保持枠２はリニアウエイ１２を介して懸垂部３に上下動可能に保持され、かつ保持枠２および懸垂部３の両側面に取り付けられた無段階ロック機構の付いたガススプリング１３により上下方向の適当な位置に静止して保持される。
【００１１】
ここで一般的なガススプリング１３の構成例について図４により説明する。ガススプリング１３は筒状の外筒３１内にシリンダ３２が挿入され、その両端部に設けられたバルブ３３と通路部材３４により固定されている。そして外筒３１とシリンダ３２の間には通路３５が形成されている。一方シリンダ３２内にはピストン３６が摺動可能に装着され、シリンダ３２内がシリンダ上室３２Ａおよびシリンダ下室３２Ｂに分割されている。ピストン３６にはピストンロッド３７が連結されており、その他端は通路部材３４およびロッドガイド４５を通ってシリンダ３２および外筒３１の外部に至っている。
【００１２】
シリンダ上室３２Ａはバルブ３３に設けられた軸方向のバルブ孔３８および径方向の連通孔３９により通路３５に連通され、シリンダ下室３２Ｂは通路部材３４に設けられた連通路３４Ａにより通路３５に連通され、結局シリンダ上室３２Ａとシリンダ下室３２Ｂが通路３５により連通されている。そしてシリンダ３２内および通路３５には圧縮ガスが封入されている。
【００１３】
バルブ孔３８には中央部に小径部４０Ａを有するスプール４０が軸方向に摺動可能に装着されており、スプール４０の大径部とバルブ孔３８の間にはガスを流通し得る程度の隙間が形成されているが、この隙間を遮断するために設けられたシール４１によりシリンダ上室３２Ａと連通孔３９の連通が防がれている。またシール４２、４３および４４はいずれもシリンダ３２内および通路３５に封入された圧縮ガスを密封するためのものである。そしてバルブ３３は図に示すようにスプール４０の大径部がシール４１に接する状態ではシリンダ上室３２Ａと通路３５の連通を遮断するが、外筒３１の上部に上下動可能に保持され、その下端がスプール４０の上端に接し、上部が外筒３１の上面から突き出たロック操作ピン２７を押し込むことにより、スプール４０を図において下方に移動させて小径部４０Ａがシール４１を跨いだ状態ではシリンダ上室３２Ａと通路３５が連通する。
【００１４】
このような構成のガススプリング１３において、通常スプール４０はシリンダ３２内のガスの圧力により上方に移動し、シリンダ上室３２Ａと通路３５の連通が遮断され、この結果シリンダ上室３２Ａとシリンダ下室３２Ｂのガスの流通がないので、ピストンロッド３７はロックされている。
【００１５】
そして外筒３１の外部でロック操作ピン２７が押されてスプール４０が下方に移動すると、バルブ孔３８、連通孔３９および通路３５を経由してシリンダ上室３２Ａとシリンダ下室３２Ｂが連通し、ガスが流通するようになりピストンロッド３７は伸縮可能になる。このときピストンロッド３７はピストン３６の両端面の受圧面積の差により伸張しようとするので、この力を利用してガススプリング１３を伸張させ、またはこの力より大きい力を外部から加えて短縮させた後、ロック操作ピン２７を押していた力を解除することにより、ピストンロッド３７を所望の位置でロックすることができる。
【００１６】
上記のような方法でガススプリング１３を伸縮させることにより保持枠２を懸垂部３に沿って上下方向に移動させることができる。そしてすべてのモニタ１の重量を含む保持枠２の重量をほぼ支え得る反発力を有するガススプリング１３を用いることにより、保持枠２を比較的小さい力で上下動させることができる。
【００１７】
ガススプリング１３は通常ロックされて伸縮できない状態にあるので、操作者（図示しない）は後述する機構により上下動ロック解除ハンドル１１を移動操作ハンドル６と一緒に握って移動操作ハンドル６側に引き寄せることによりガススプリング１３のロックを解除し、移動操作ハンドル６によりガススプリング１３の反発力に抗して保持枠２を適当な高さまで下降させ、または反発力を利用して適当な高さまで上昇させた後、上下動ロック解除ハンドル１１を離して再度ガススプリング１３をロックすることにより、保持枠２を適当な高さで静止させることができる。
【００１８】
図２および図３（ａ）は上下動ロック解除ハンドル１１によってガススプリング１３のロックを解除する機構の一例を示す図であり、図３（ｂ）は図３（ａ）のＡＡ断面図である。上下動ロック解除ハンドル１１は保持枠２内で回転可能に保持された回転軸２０を含むループ状の形状であり、回転軸２０の中央部付近にワイヤ固定金具１９が固着されている。そのため上下動ロック解除ハンドル１１が移動操作ハンドル６側に引き寄せられるとワイヤ固定金具１９が回転軸２０を中心に回転し、ワイヤ固定金具１９の回転軸２０と反対側の端に一端が固定されたワイヤ１４が図２の矢印Ｃの方向に引っ張られる。
【００１９】
ワイヤ１４の他端はプーリ２１および２２を経て図３のレバー２３の中央部に設けられたワイヤ固定部２４に固定されており、上記のように上下動ロック解除ハンドル１１が移動操作ハンドル６側に引き寄せられることにより図３（ａ）の矢印Ｄ方向に引っ張られる。ほぼコの字型の平板により構成されるレバー２３は左右の辺にそれぞれ設けられたレバー保持部２６により保持枠２の両側面に回転可能に保持されており、ワイヤ１４が図３（ａ）および図３（ｂ）の矢印Ｄ方向に引かれると図３（ｂ）の矢印Ｅ方向に回転して、ガススプリング１３の上端部に設けられたロック操作ピン２７を押す。
【００２０】
ロック操作ピン２７は荷重が加わらない場合、上述のように最上位置まで押し上げられて停止している。そしてこの状態のときガススプリング１３は伸縮動作がロックされているが、ロック操作ピン２７がレバー２３によりガスの圧力以上の力で押されて下方に移動するとガススプリング１３はロックが解除され伸縮動作が可能になる。操作者がこの状態で移動操作ハンドル６により保持枠２を上昇または下降させて適当な高さに配置した後、上下動ロック解除ハンドル１１を離してレバー２３によりロック操作ピン２７を押す操作を止めると、ロック操作ピン２７は再度ガスの圧力により最上位置まで押し上げられる。これによりガススプリング１３の伸縮動作がロックされ、保持枠２は静止する。なお図３において２５はガススプリング１３を回転可能に保持枠２の側面に保持するためのガススプリング取付金具である。
【００２１】
なおガススプリング１３は保持枠２に搭載されるモニタ１の台数が最も多い場合の重さが支えられる反発力のものを使用し、搭載されるモニタ１の台数が少なくてガススプリング１３の反発力が大きすぎる場合、保持枠２にウエイトを追加するか、またはガススプリング１３を反発力の小さいものに交換することによりバランスの調整を行う。
【００２２】
以上の構成により、全モニタ１の重量を含む保持枠２の重量をガススプリング１３の反発力によってバランスさせることにより、バランスウエイトを用いたときと同程度の小さい力で上下動を行うことができるうえに、モニタ懸垂器の軽量化がはかれるので、天井やレールにかかる重量的な負担を軽減でき、さらに水平移動や回転の操作を従来に比べて小さい力で行うことができる。またモニタ懸垂器が小型化されるので、検査室内の利用できる空間を増やすことができる。
【産業上の利用可能性】
【００２３】
本発明はＸ線透視撮影装置に関する。
【図面の簡単な説明】
【００２４】
【図１】本発明のモニタ懸垂器の構成例を説明するための図である。
【図２】ガススプリングのロックを解除する機構を説明するための図である。
【図３】ガススプリングのロックを解除する機構を説明するための図である。
【図４】ガススプリングについて説明するための図である。
【図５】従来のモニタ懸垂器の構成例を説明するための図である。
【符号の説明】
【００２５】
１：モニタ
２：保持枠
３：懸垂部
４：回転軸
５：ベース部
６：移動操作ハンドル
７：水平動ロック解除スイッチ
８：定滑車
９：バランスウエイト
１０：ワイヤ
１１：上下動ロック解除ハンドル
１２：リニアウエイ
１３：ガススプリング
１４：ワイヤ
１９：ワイヤ固定金具
２０：回転軸
２１：プーリ
２２：プーリ
２３：レバー
２４：ワイヤ固定部
２５：ガススプリング取付金具
２６：レバー保持部
２７：ロック操作ピン
３１：外筒
３２：シリンダ
３２Ａ：シリンダ上室
３２Ｂ：シリンダ下室
３３：バルブ
３４：通路部材
３４Ａ：連通路
３５：通路
３６：ピストン
３７：ピストンロッド
３８：バルブ孔
３９：連通孔
４０：スプール
４０Ａ：小径部
４１：シール
４２：シール
４３：シール
４４：シール
４５：ロッドガイド
【図１】
2008119264.tif 000003
【図２】
2008119264.tif 000004
【図３】
2008119264.tif 000005
【図４】
2008119264.tif 000006
【図５】
2008119264.tif 000007